(57)【要約】      （修正有）【課題】低音と高音とを効率よく分離でき、また、椅子に腰掛け又は座し膝上に載せて演奏する際、演奏し易い平型カホンを提供する。【解決手段】打面となる上面板２と底面板３と前後左右の側面をなす側面板とからなり内部が浅底の空洞状に形成された楽器本体５を設け、該楽器本体５の打面を手で叩くことにより演奏する打楽器であって、打面２を少なくとも２つの領域に分割してなる。打面を低音部となる後部側の第１打面２ａと、高音部及びタッチ部となる前部側の第２打面２ｂとに２分割し、第２打面の左右両端部を高音部となし、中央部をタッチ部となし、第２打面の裏面側に高音とタッチ音とを分離する仕切板１０を固着する。【選択図】図１
0003184744.tif 000002
【実用新案登録請求の範囲】
【請求項１】
打面となる上面板と底面板と前後左右の側面をなす側面板とからなり内部が浅底の空洞状に形成された楽器本体を設け、該楽器本体の打面を手で叩くことにより演奏する打楽器であって、打面を少なくとも２つの領域に分割してなることを特徴とする平型カホン。
【請求項２】
打面を低音部となる後部側の第１打面と、高音部及びタッチ部となる前部側の第２打面とに２分割し、前記第２打面の後端側の左右両端部を高音部となし、後端側の中央部をタッチ部となし、前記第２打面の裏面側に高音とタッチ音とを分離する仕切板を固着してなる請求項１に記載の平型カホン。
【請求項３】
高音部の裏面側に金属板を固着してなる請求項２に記載の平型カホン。
【請求項４】
高音部の裏面側にバネ材を配置してなる請求項２又は３に記載の平型カホン。
【考案の詳細な説明】
【技術分野】
【０００１】
本考案は、楽器本体の内部が空洞状に形成され、楽器本体の打面を手で叩いて演奏するカホンと称される打楽器、特に薄形の平型カホンに関する。
【０００２】
カホンは内部が空洞の箱状に形成され、演奏者がその上に跨がって打面を手で叩いてリズム演奏するものである（特許文献１）。打面の中央部を叩くと低音が、打面の周縁部を叩くと高音が発生する。叩き方により音色に変化を与えることもできる。
大きさは横幅３０ｃｍ×奥行３０ｃｍ×高さ４５ｃｍ程度のものが一般的であるが、女性や老人にとっては跨ぐことや大き過ぎて扱い難く、持ち運びも大変である。このため、薄型とした平型タイプのものも出回っている。
【０００３】
しかし、平型タイプのものは、内容積が小さくなるため、高音域と低音域での音の分離が悪くメリハリが十分でない。また、平型タイプのものも、図１１に示すように、打面の中央部が低音部７、手前側の左右角部が高音部８，８、手前側の中央部がタッチ部９となっている。このため、椅子に腰掛け膝の上にカホンを載せて演奏する際、高音部８とタッチ部９が手前にきて、窮屈となって演奏し難い。
【先行技術文献】
【特許文献】
【０００４】
【特許文献１】特開２００５−２６６７３２号公報
【考案の概要】
【考案が解決しようとする課題】
【０００５】
そこで、本考案は、低音と高音とを効率よく分離でき、また、椅子に腰掛け又は座し膝上に載せて演奏する際、演奏し易い平型カホンを提供することを目的とする。
【課題を解決するための手段】
【０００６】
上記の課題を解決するために、請求項１に係る考案は、打面となる上面板と底面板と前後左右の側面をなす側面板とからなり内部が浅底の空洞状に形成された楽器本体を設け、該楽器本体の打面を手で叩くことにより演奏する打楽器であって、打面を少なくとも２つの領域に分割してなること、を特徴としている。
請求項２に係る考案は、打面を低音部となる後部側の第１打面と、高音部及びタッチ部となる前部側の第２打面とに２分割し、前記第２打面の後端側の左右両端部を高音部となし、後端側の中央部をタッチ部となし、前記第２打面の裏面側に高音とタッチ音とを分離する仕切板を固着したものである。
請求項３に係る考案は、高音部の裏面側に金属板を固着したものである。
請求項４に係る考案は、高音部の裏面側にバネ材を配置したものである。
【考案の効果】
【０００７】
請求項１に係る考案は、楽器本体の打面を少なくとも２つの領域に分割してなるので、低音と高音とを効率よく分離できる。
請求項２に係る考案は、打面を低音部となる後部側の第１打面と、高音部及びタッチ部となる前部側の第２打面とに２分割したので、低音と高音とを確実に分離できる。また、第２打面の裏面側に高音とタッチ音とを分離する仕切板を固着したので、仕切板で打面の振動を調整し高音とタッチ音とを分離でき、仕切板が第２打面をなす上面板のそりを防止できる。また、第２打面の後端側の左右両端部を高音部となし、後端側の中央部をタッチ部となしたので、椅子に掛け又は座し膝の上にカホンを載せて演奏する際、手が窮屈にならず演奏し易い。
請求項３に係る考案は、高音部の裏面側に金属板を固着したので、より高い音を出すことができる。
請求項４に係る考案は、高音部の裏面側にバネ材を配置したので、長期の使用によっても、高音部の裏面側に隙間を保持でき、長期の使用に耐える。
【図面の簡単な説明】
【０００８】
【図１】本考案の第１実施例によるカホンを示す斜視図である。
【図２】第１実施例によるカホンの平面図である。
【図３】第１実施例によるカホンの左側面図である。
【図４】図２のＩＶ−ＩＶ断面図である。
【図５】図２のＶ−Ｖ断面図である。
【図６】第１実施例の変形例を示す平面図である。
【図７】図６のＶＩＩ−ＶＩＩ断面図である。
【図８】本考案の実施例によるカホンの叩き位置を示す平面図である。
【図９】本考案の第２実施例を示す平面図である。
【図１０】本考案の第３実施例を示す平面図である。
【図１１】従来例によるカホンの叩き位置を示す平面図である。
【考案を実施するための形態】
【０００９】
以下、本考案の実施例を図面に基づいて具体的に説明する。図１〜図５に示す第１実施例による平型カホン１は、打面となる上面板２と、底面板３と、前後左右の側面をなす４つの側面板４ａ，４ｂ，４ｃ，４ｄとからなり、内部が浅底の空洞状に形成された楽器本体５を設け、楽器本体５の打面２ａ，２ｂを手で叩くことによりリズム演奏する打楽器である。
【００１０】
そして、打面をなす上面板２は後部側の第１打面２ａと前部側の第２打面２ｂとの２つに分割してなる。第１打面２ａと第２打面２ｂとの境界部には僅かの隙間６が形成される。第１打面２ａはその中央部が低音部７をなし、第２打面２ｂは後端側の左右両端部（左右両角部）が高音部８，８、後端側の中央部がタッチ部９をなす。本明細書では、後端側とは図８の第２打面２ｂにおいて上縁側（隙間６側）をいう。
【００１１】
寸法の一例としては、横幅Ｗが３５ｃｍ、奥行Ｌが２５ｃｍ、高さＨが８ｃｍ程度である。打面となる上面板２（２ａ，２ｂ）は、響きをよくするため他の面板より薄くする。本実施例では、上面板２（２ａ，２ｂ）の厚さは３ｍｍ、底面板３の厚さは４ｍｍ、側面板４ａ〜４ｄの厚さは１０ｍｍ程度とする。なお、ここで示した寸法は一例であって、適宜変更可能であることは勿論である。各面板の材質は、一般には木質材（単板又は合板）であるが、合成樹脂材を用いてもよい。
【００１２】
第２打面２ｂの裏面側には、高音部８とタッチ部９との間を仕切る仕切板１０，１０を、前後方向に向けて並列に２枚固着してある。この仕切板１０の厚さは１０ｍｍ程度、高さは空洞内部の高さと略同じ、前後幅は第２打面２ｂの内部前後幅に略対応させてある。
【００１３】
高音部８の裏面側であって左右側面板４ｃ，４ｄの上端面に対面する位置に金属製（鉄製）の板材１１を固着してある。そして、高音部８の裏面側の鉄製板材１１と左右側面板４ｃ，４ｄの上端面との間には僅かの隙間１２を保持するようにしてある。この隙間１２を保持するため、この隙間部を除く側面板４ａ〜４ｄの上端面の上に厚さの薄いスペーサ１３を介在させてある。又は、スペーサ１３を介在させるのではなく、高音部に対面する左右側面板４ｃ，４ｄの上端面を切欠いて隙間１２を形成するようにしてもよい。
【００１４】
なお、持ち運びし易いようにするため、前部側の側面板４ａに仮想線で示すように把手１４を取付けるようにしてもよい。また、底面板３又は側面板４ａ〜４ｄの１つに共鳴用の穴を開口形成するようにしてもよい。符号１５は、上面板２（２ａ，２ｂ）と側面板４ａ〜４ｄとを結合する皿木ねじである。
【００１５】
第１打面２ａの裏面側には図に示すような小さなシンバル１６を取付けてある。小さなシンバル１６に替えて鈴を取付けてもよい。又は、第１打面２ａの裏面側に線材を、例えば左右方向に張設するようにしてもよい。
また、図６，図７に示すように、左右の高音部８の裏面側にコイルバネ１７を取付けて、高音部８の板材２ｂを押し上げ、高音部８と左右側面板４ｃ，４ｄの上端面との間の隙間１２を長期に亙り確保するようにしてもよい。
【００１６】
かかる構造の平型カホン１を演奏するには、椅子に腰掛け又は座し膝の上に平型カホンを、第１打面２ａが膝側、第２打面２ｂが手前側となるように載せる。そして、手で低音部７、高音部８又はタッチ部９を叩くことにより、リズム演奏する。又は、テーブルや机の上に平型カホン１を載せ、演奏するようにしてもよい。
このとき、第１打面２ａと第２打面２ｂとの間は上面板２が２分割されているので、第１打面２ａの振動と第２打面２ｂの振動とは互いに分離され、影響を受けない。このため、低音と、高音又はタッチ音との分離が確実に行えることになり、メリハリの効いた演奏をすることができる。なお、打面２ａ，２ｂを叩く部位や叩き方（手の平全体で叩いたり、指先で叩いたり）によって、音色に変化を与えることができる。
第２打面２ｂにおける高音部８とタッチ部９は、第２打面２ｂの後端側にあるので（図８）、膝の上に載せて演奏する場合でも、手が窮屈とならず、演奏し易い。
【００１７】
第２打面２ｂは高音部８とタッチ部９との間に仕切板１０が介在しているので、高音とタッチ音との分離が明確となる。また、この仕切板１０が第２打面２ｂを構成する上面板に固着されているので、第２打面２ｂを構成する上面板のそりを防止する効果もある。
【００１８】
高音部８の裏面側には、左右側面板４ｃ，４ｄの上端面との間に僅かの隙間１２を有するので、高音部８を手で叩いた際に「パシッ」という音を出すことができる。
高音部８を叩くと、高音部８の裏面側に固着した鉄製の板材１１が左右側面板４ｃ，４ｄの上端面に当たり、より高い音を出すことができる。
低音部７の裏面側に小さなシンバル１６を取付けておけば、低音部７を叩いた際にシンバル１６の音色も相まって変化のある音を発生させることができる。
【００１９】
図９に示す第２実施例による平型カホン１−２は、第１実施例と同様に打面を第１打面２ａと第２打面２ｂとに分割し、さらに第２打面２ｂを左右方向に３分割して、左右両側２ｂ−１，２ｂ−３を高音部８、中央部２ｂ−２をタッチ部９となしたものである。この場合、高音部８とタッチ部９とが分割されているので、高音とタッチ音との分離がさらに確実となる。
【００２０】
図１０に示す第３実施例による平型カホン１−３は、上面板２の手前側中央部を逆Ｕ字状に分割したもので、逆Ｕ字状の内側がタッチ部９、手前側の左右角部が高音部８，８、後部側の中央部が低音部７となる。この場合、高音部８が手前側の左右角部となるため、演奏がし難くくなる欠点がある。
【符号の説明】
【００２１】
１，１−２，１−３  平型カホン
２  上面板
２ａ  第１打面
２ｂ  第２打面
２ｂ−１，２ｂ−２，２ｂ−３  第２打面
３  底面板
４ａ，４ｂ，４ｃ，４ｄ  側面板
５  楽器本体
６  隙間
７  低音部
８  高音部
９  タッチ部
１０  仕切板
１１  鉄製板材
１２  隙間
１３  スペーサ
１４  把手
１５  皿木ねじ
１６  シンバル
１７  コイルバネ
【図１】
0003184744.tif 000003
【図２】
0003184744.tif 000004
【図３】
0003184744.tif 000005
【図４】
0003184744.tif 000006
【図５】
0003184744.tif 000007
【図６】
0003184744.tif 000008
【図７】
0003184744.tif 000009
【図８】
0003184744.tif 000010
【図９】
0003184744.tif 000011
【図１０】
0003184744.tif 000012
【図１１】
0003184744.tif 000013